(57)【特許請求の範囲】
【請求項１】
表示機能を備えた電子ペーパと当該電子ペーパを複数枚装着することができる本体とからなる電子ペーパファイルにおいて、
異なる電子ペーパファイルとデータの送受信を行う通信手段と、
上記通信手段が受信したデータを表示すべき電子ペーパを決定するとともに、受信したデータを当該表示すべき電子ペーパに表示させる機能を有したページ管理手段とを備え、
上記ページ管理手段は、上記通信手段にて受信したデータを、当該データが一の電子ペーパファイルから送信されたデータであり、かつ当該一の電子ペーパファイルが、自身が送信した表示要求に応じて所定の電子ペーパファイルから表示許可信号を受信していたときに、前記データを表示すべき電子ペーパに選択的に表示させる表示制限手段をさらに備えたことを特徴とする電子ペーパファイル。
【発明の詳細な説明】
【０００１】
【発明の属する技術分野】
本願発明は、シート状の表示部を備えた電子ペーパを複数枚装着することができる電子ペーパファイルに関するものである。
【０００２】
【従来の技術】
近年の情報化社会の発展に伴い、ディスプレイやハードコピー等の技術の重要性は高まっている。しかし、情報伝達の媒体として古くから使用されている紙は、携帯性や保存性が高い。そのため、情報伝達媒体としてＣＲＴやＬＣＤ等の表示媒体だけでは不充分であり、最近では、メモリを持ったペーパーライクな表示媒体が開発されている。
【０００３】
上記のような表示媒体として、電子ペーパが提案され（特開平１０−１７１６２０公報）、更にこの電子ペーパを複数まとめてノート状にした電子ペーパファイルも提案されている（特表平１１−５０２９５０公報）。また、表示媒体の記録材料として色々なリライタブル記録媒体が検討されている（日本画像学会発行「Ｊａｐａｎ  Ｈａｒｄｃｏｐｙ’９９  論文集」Ｐ．２０９〜Ｐ．２５１参照）。
【０００４】
電子ペーパファイルは、文字や画像等を紙に印刷するのではなく、容易に複製・編集可能な電子情報として記憶し、かつ従来より慣れ親しんだ本やノートの形態を有する情報端末といったニーズに対応すべく開発されたものである。
【０００５】
即ち、電子ペーパファイルは、ディスプレイに代表される従来の表示装置とは異なり、携帯可能かつノート状の構成を成す。また、携帯情報端末（ＰＤＡ：Personal Digital Assistant、ノ−ト型パーソナルコンピュータ）等とも異なり、複数の表示部を備えるといった特徴がある。
【０００６】
ところで上記従来の携帯情報端末は通信機能を有するものがあり、当該通信機能を使用することで、場所を選ばず当該携帯情報端末どうしでの情報のやり取りが可能である。当該情報のやり取りとしては、例えばファイルの送受信や、コミュニケーションツール（チャット：Chat）等を用いたリアルタイムメッセージ交換等がある。また、会議の各参加者に割り当てた上記通信機能を有する情報端末に会議の資料となる映像等を送信することで  ホワイトボードを使用しなくても、各参加者は自分の情報端末で会議の資料を見ることができる。
【０００７】
【発明が解決しようとする課題】
しかしながら上記携帯情報端末は、携帯性を重視するため大きくてもＡ４用紙サイズ程度の表示画面を１つ有するのみである。このため、例えば複数のページからなる資料を閲覧し、または所定の文書を参考にしながらデータの入力を行いたい場合等には画面を分割する必要があり、非常に使い辛い環境である。
【０００８】
また、上記コミュニケーションツールを用いた情報の交換や、会議にて上記情報端末を使用する場合等、共通の資料（画面）が表示画面に表示されるため、例えばメモを取ったり異なるページを閲覧するといった各ユーザのみが使用する情報を表示・入力するスペースを確保することが特に困難である。
【０００９】
このことは、上記情報端末が文字や画像を電子情報として記憶し、携帯可能でありながらも閲覧性に優れた本やノートに取って代わることができない理由の１つとなっている。
【００１０】
従って本発明は、本やノートの利点を有するとともに、特にコミュニケーション時に発生する情報端末の表示問題を解決した電子ペーパファイルを提供することを目的とするものである。
【００１１】
【課題を解決するための手段】
本発明は、上記目的を達成するために以下の手段を備える。
【００１２】
すなわち、表示機能を備えた電子ペーパを複数枚装着することができる電子ペーパファイルを前提としている。ここで、通信手段は、異なる電子ペーパファイルとデータの送受信を行い、ページ管理手段は、データの送信を行うべき電子ペーパを予め指定するとともに、当該電子ペーパに入力されたデータを上記通信手段に送信する。また、ページ管理手段は、電子ペーパ上に領域を指し示していることを表すカーソルを表示するカーソル描画手段を備え、送信を行うべき電子ペーパ上のカーソルの位置情報を上記データとともに上記通信手段に送信する。
【００１３】
更に、ページ管理手段は、受信したデータを表示すべき電子ペーパを指定するとともに、通信手段が受信したデータを当該表示すべき電子ペーパに送信（表示）するようにしてもよい。この場合、また、ページ管理手段のカーソル描画手段は、データとともに受信したカーソルの位置情報に基づいて、受信したデータを表示する電子ペーパ上にカーソルを表示する。
【００１４】
従って、上記手段を備えることにより、本やノートの利点を有するとともに、通信機能を備え、通信先の電子ペーパにカーソルを表示可能な電子ペーパファイルを提供することが可能である。当該電子ペーパファイルは、従来からの問題であった携帯情報端末の表示領域が小さいという問題を解決することが可能である。
【００１５】
また、上記ページ管理手段が、受信したデータを表示する電子ペーパと、送信すべきデータを表示する電子ペーパとを異なる電子ペーパに指定し、更に双方の電子ペーパを、見開きに配置する構成とすることができる。
【００１６】
この構成では、従来より一画面を２つに分割して行われている通信とは異なり、大きな領域を一ユーザが使用することができるだけでなく、データの管理を容易にすることも可能である。
【００１７】
また、他の電子ペーパファイルから送信されたデータを表示するとともに、当該電子ペーパに書き込まれた画像や文字を他の電子ペーパに送信する電子ペーパと、入力機能を備えた電子ペーパとを、見開きに配置する構成がある。
【００１８】
更に、電子ペーパを電子ペーパファイルに対して着脱可能に設けた構成では、各電子ペーパ単位でのデータの管理が容易になる。
【００１９】
また、ページ管理手段は、電子ペーパ上に領域を指し示していることを表すカーソルを表示するカーソル描画手段を備える構成や、電子ペーパが表示することができるデータを制限する表示制限手段を備える構成、更には、電子ペーパが持つ機能を制限する機能制限手段を備える構成がある。
【００２０】
この構成では、より細かい機能の設定が可能となり、電子ペーパファイルを一層使い易くすることができる。
【００２１】
その他、上記通信手段に代えて、物理的な接続機能と電気的な接続機能とを兼ねた雄雌一対の接続端子の一方を電子ペーパに備え、他方を上記本体に備えるようにしてもよい。上記他方の接続端子は本体に固定した構成であってもよいし、本体に対して回動自在に固定した構成であってもよい。
【００２２】
【発明の実施の形態】
まず、電子ペーパ及び電子ペーパファイルの構成の詳細について説明する。
【００２３】
図１８に示すように電子ペーパファイル３０は、信号授受手段２２及び表示発光制御手段２３を背板２４に備えた本体２０と、表示駆動部１２及び表示部１１を備えた電子ペーパ１０が、接続端子１３、２５により装着されて構成されている。また、本体２０と電子ペーパ１０とは接続端子１３、２５を介して電気的にも接続されている。更に本体２０は、上記接続端子２５を一又は複数備えることができ、接続端子２５が複数備えられている場合は、本体２０に複数の電子ペーパを接続することができる。
【００２４】
上記表示発光制御手段２３は、上記信号授受手段２２より受信したデータを表示用ビットデータとして当該電子ペーパ１０に転送するとともに、後述する発光シートの発光制御も行う。ここにいう発光制御とは、強調したい領域のみの照明、及び当該領域の輝度の変更等である。尚、上記信号授受手段２２は、例えば通信可能に接続されたパーソナルコンピュータよりデータを受信したり、データが格納されたメモリカードからの当該データの受信に用いられる。
【００２５】
ここで、上記表示部１１は、図１９に示すように、所定の表示媒体を備えた表示シートＡと、この表示シートＡを照明するための発光シートＢとからなり、以下その構成順について説明する。
【００２６】
まず、上側のベースフィルムＡ2 上に透明電極（例えばＩＴＯ電極）Ａ3を形成するとともに、下側のベースフィルムＡ6 上に透明電極Ａ5 を形成し、この列電極Ａ5 の上に表示媒体（例えば強誘電性高分子液晶）Ａ４ を一定の厚みで塗布する。次いで、この行電極Ａ3 と列電極Ａ5 とが相互に向き合いかつ格子状となるように貼り合わせ、更に、上記表示媒体Ａ４ の分子を所定の配向とした後、偏光板Ａ1 ・Ａ7 で両側から挟んで貼り合わせる。これによって、表示シートＡが生成されることになる。
【００２７】
これに対し、上記発光シートＢは、その全面が一様に発光すればよいため、上側のベースフィルムＢ1 上に陽極Ｂ２（共通電極）を形成するとともに、下側のベースフィルムＢ6 上に陰極Ｂ５（共通電極）を形成し、この陰極Ｂ５ の上に、絶縁層Ｂ3 を用いて所定のパターンで発光媒体（例えば有機エレクトロルミネセンス）Ｂ４ を形成した後、この陽極Ｂ2 と陰極Ｂ5 とが格子状に向き合うように貼り合わせた構成とする。
【００２８】
最後に、発光シートＢが表示シートＡを照明するよう、上記のように生成した発光シートＢを表示シートＡの下側に貼り合わせる。
【００２９】
尚、表示シートＡで使用する表示媒体Ａ４は、上記のような不揮発性の材料に限定する必要はない。例えば、正電荷を有する粒子に結合する色素材料と、負電荷を有する粒子に結合する物質（ｐＨが当該色素材料と逆の物質）等とを内蔵したマイクロカプセルを上記表示媒体Ａ４として採用することもできる。このようなマイクロカプセルの構造は、特表平１１−５０２９５０号公報に詳しい。
【００３０】
ここで、表示シートＡでの表示は、以下に説明するシャッター機能を利用したマトリクス制御によって行う。すなわち、表示シートＡの列電極Ａ5 ・行電極Ａ3 間に所定電圧を印加すると、光を透過しない方向に表示媒体Ａ４ の分子の配向が変化し（シャッターがＯＮとなり）、この列電極Ａ5 及び行電極Ａ3 によって特定される画素が黒く表示される。一方、上記所定電圧（以下「正電圧」という）の逆電圧を印加した場合は、光を透過する方向に表示媒体Ａ４ の分子の配向が変化し（シャッターがＯＦＦとなり）、この画素は白く表示されるようになっている。
【００３１】
一方、発光シートＢの陽極Ｂ２ ・陰極Ｂ５ 間に電圧を印加すると、発光媒体Ｂ４ の全面が発光して表示シートＡを照明する。すなわち、発光媒体Ｂ４ が発光すると、この光が透過する部分の画素（シャッターがＯＦＦとなっている画素）が形成するようになっている。
【００３２】
尚、上記したように発光媒体Ｂ４は所定のパターンで形成するようにしているため、発光シートＢの陽極Ｂ２、陰極Ｂ５を格子状の個別電極（即ち、行電極及び列電極）とし、この個別電極毎に印加する電圧を変えれば、例えばタイトル領域など、強調したい領域のみ照明することが可能となる。
【００３３】
また、発光シートＢをモノカラーで発光させる場合は全面一様に単色の光源を配置しておけばよいが、フルカラーで発光させる場合は格子状にＲＧＢ（Ｒed Green Blue）の光源を配置しておく。フルカラーであっても全面一様に発光させる場合は、上記のように個別電極とするまでもなく陽極Ｂ２ ・陰極Ｂ５ であってもかまわない。
【００３４】
次に図１を用いて、データ（文字データ・画像データ等）を表示部１１に表示する手順を説明する。
【００３５】
ユーザは例えば論文集の内容（データ）が記憶されたメモリカード４１を本体２０に挿填する。次にユーザは、ユーザが図１８に示すように本体２０に備えられたテンキー等から構成されるページ指定手段１７０を用いて、例えば「２０」を入力する。すると、ページ指定手段１７０は、ページ管理手段１８に「２０」が入力されたことを通知する。
【００３６】
このページ管理手段１８は、電子ペーパファイル３０の電源が投入されている間、常時本体２０の接続端子２５と接続されている電子ペーパ１０の枚数を管理している。ページ管理手段１８は、上記ページ指定手段１７より「２０」が入力されると、本体２０と通信可能に接続されている電子ペーパ１０の枚数、例えば１０枚と、上記ページ指定手段１７０から入力された「２０」とを上記表示発光制御手段２３に通知する。
【００３７】
上記表示発光制御手段２３は、ページ管理手段１８から電子ペーパ１０の接続されている枚数と「２０」との通知を受けると、上記信号授受手段２２に論文集の２０ページから２９ページまでのデータをメモリカード４１から取得するように指示する。該指示により上記信号授受手段２２は、２０ページから２９ページまでのデータを取得すると、取得したデータを表示発光制御手段２３に送信する。
【００３８】
上記表示発光制御手段２３は、送信された２０ページ〜２９ページのデータのうち文字データを所定の電子ペーパ１０に備えられた文字記憶手段４２に、画像データを画像記憶手段４３に格納する。上記文字データは、例えばＡＳＣＩＩコード等の文字コードと、文字が表示される表示部１１上の領域を示す文字領域データ等から構成される。また、上記画像データとは、例えば画像の形状、模様、色彩等の画像の形態を示す画像形態データと、画像が表示される表示部１１上の領域を示す画像領域データから構成される。
【００３９】
上記表示発光制御手段２３は、上記のように文字データを文字記憶手段４２に格納するとともに、論文集の２０ページ〜２９ページの文字データを電子ペーパ１０の表示部１１に表示するために、文字コードをドットデータに変換する。このドットデータは、ドット毎の色のデータや濃度のデータ等から構成されている。
【００４０】
更に、上記表示発光制御手段２３はドットデータに変換した文字コードと対応する文字領域データを用いて、文字を表示する表示部１１の画素の色データと濃度データとを示す表示用ビットデータを生成する。上記表示発光制御手段２３は表示用ビットデータを生成すると、例えば表表紙２６１に最も近い１ページ目の電子ペーパ１０に２０ページに書き込まれた文字に対応する表示用ビットデータを、２ページ目の電子ペーパ１０に２１ページに書き込まれた文字に対応する表示用ビットデータを、・・・、１０ページ目の電子ペーパ１０に２９ページに書き込まれた文字に対応する表示用ビットデータを送信する。
【００４１】
各電子ペーパに送信された表示用ビットデータは、各電子ペーパ１０に備えられた表示用ドライバ１２ａにて受信される。該表示用ドライバ１２ａは上記表示用ビットデータを受信すると、該表示用ビットデータに基づいて、文字を表示する画素と当該画素に印加する電圧を生成する。
【００４２】
続いて、上記表示用ドライバ１２ａは、図２０に示す列配線Ｌ２及び行配線Ｌ１を用いて文字を表示する画素に所定の電圧を印加する。これにより論文集２０ページ〜２９ページに書き込まれた文字が電子ペーパ１０の表示部１１に表示される。
【００４３】
また、上記表示発光制御手段２３は、画像記憶手段４３から論文集２０ページ〜２９ページに書き込まれた画像データを取得すると、文字データから表示用ビットデータを生成したように、画像データから表示用ビットデータを生成する。上記表示発光制御手段２３は表示用ビットデータを生成すると、当該表示用ビットデータを表示用ドライバ１２ａに送信する。
【００４４】
上記表示用ドライバ１２ａは送信された表示用ビットデータに基づいて画像を表示部１１に表示する。よって、論文集の２０ページ〜２９ページに書き込まれた文字と画像が電子ペーパ１０の表示部１１に表示されることになる。
【００４５】
尚、図２０に示すように電子ペーパ１０の表示駆動部１２に上記文字記憶手段４２及び画像記憶手段４３を設けた場合、当該電子ペーパ１０を本体２０より取り外した場合でも、文字データや画像データを電子ペーパ１０に記憶させておくことができる。但し、上記文字記憶手段４２及び画像記憶手段４３を電子ペーパ１０に必ずしも設ける必要はなく、例えば本体２０に設けてもよい。また、上記では文字データ・画像データをメモリカード４１から読み出しているが、ＣＤ―ＲＯＭやＤＶＤ―ＲＯＭ等の記録媒体や、パソコンのハードディスクにから文字データ・画像データを読み出してもよい。
【００４６】
続いて電子ペーパ１０に表示されている文字や画像を編集する編集処理について説明する。
【００４７】
電子ペーパ１０に表示されている文字や画像を編集することができる電子ペーパ１０の一態様として、図２に示すように透明でデジタイザ機能を備えた透明シート４４を表示部１１の上面に被せた電子ペーパ１０が考えられる。
【００４８】
この態様では、ユーザが電子ペーパ１０上に表示されるカラーパレットの中から色を指定して、透明シート４４の上から希望する画像を筆記具１４（先端部の尖った物、ペン等）で描くと、当該筆記具１４と上記透明シート４４との接触点の位置を上記透明シート４４がデジタイザ機能を用いて検出する。透明シート４４は検出した接触点の位置を上記表示発光制御手段２３に送信する。
【００４９】
但し、マウスに代表されるポインティング・ディバイス（当該ポインティング・ディバイスと連動するカーソルを含む）にて描かれた図柄の形状や位置を上記表示発光制御手段２３が検出することができれば、ユーザは当該ポインティング・ディバイスを用いて文字や画像を透明シート４４に描いてもよい。
【００５０】
上記表示発光制御手段２３は、ユーザが指定した色や表現方法（例えば筆やブラシで描いたように）と、上記接触点の位置に基づいて、描かれた画像の形状や模様等と画像が描かれた位置を認識する。上記表示発光制御手段２３は、認識した画像の形状や模様等と画像が描かれた位置とから表示用ビットデータを生成し、上記画像記憶手段４３に格納する。
【００５１】
上記表示発光制御手段２３は、上記画像記憶手段４３に表示用ビットデータを格納すると、表示用ビットデータ格納後の上記画像記憶手段４３の記憶内容に基づいた表示を電子ペーパ１０に表示する。
【００５２】
又、電子ペーパ１０に表示されている文字や画像に文字を追記する場合、まずユーザは文字を追記する領域を上記筆記具１４にて指定する。上記透明シート４４は、ユーザが指定した領域を上記表示発光制御手段２３に送信する。
【００５３】
上記表示発光制御手段２３は、上記透明シート４４から送信された領域に基づいて文字領域データを生成する。
【００５４】
続いてユーザは本体２０に接続されたキーボード４６や電子ペーパ１０に実装されているソフトウェアキーボード等を用いて、所定の文字を入力する。入力された文字の文字コードは上記表示発光制御手段２３に入力される。尚、上記筆記具１４を用いて文字を追記することができるようにしても良いが、その場合、ユーザが書いた文字から文字コードを生成することができる機能を上記表示発光制御手段２３が持っていることが好ましい。
【００５５】
上記表示発光制御手段２３は上記生成した文字領域データと、上記キーボード４６等により入力された文字の文字コードとを対応付けて上記文字記憶手段４２に格納する。
【００５６】
上記表示発光制御手段２３は、上記文字記憶手段４２に文字コードと文字領域データ、即ち文字データを格納すると、文字データ格納後の文字記憶手段４２の記憶内容に基づいて、上記のように表示用ビットデータを生成する。そして、上記表示発光制御手段２３は生成した表示用ビットデータを表示用ドライバ１２ａに送信する。表示用ドライバ１２ａは受信した表示用ビットデータに基づいて文字を電子ペーパ１０に表示する。
【００５７】
以上により、電子ペーパ１０の表示内容を編集することが可能である。
【００５８】
〔実施の形態１〕
ユーザＡの電子ペーパファイル３０ＡとユーザＢの電子ペーパファイル３０Ｂとの間で行われる通信について説明する。
【００５９】
ユーザＡが電子ペーパファイル３０Ａの電源を入ると、入力手段１３０が起動して、図３に示す表紙表示部２７１に表示されるメニュー１５４を表示する。ユーザはメニュー１５４の中から送受信用電子ペーパ選択メニュー１４０を筆記具１４にて選択する。
【００６０】
すると、本体２０に備えられた送受信用電子ペーパ設定手段１４１は、図４に示すように表紙表示部２７１に、表示内容が電子ペーパファイル３０Ｂに送信される送信用電子ペーパ７Ａの識別番号を入力することができる入力欄１４２Ａと、表示内容の送信先となる電子ペーパファイル３０Ｂの本体２０の本体ＩＤを入力することができる入力欄１４３とを表示する。
【００６１】
ユーザは、例えばソフトウェアキーボード１４４等を用いて、電子ペーパファイル３０Ａに接続された電子ペーパ１０の中から、送信用電子ペーパ７Ａとなる電子ペーパの識別番号を１又は複数入力する（図５：Ｓ５０１）。
【００６２】
尚、ソフトウェアキーボード１４４を用いて入力した文字・数字・記号等は、表示発光制御手段２３にて認識されるようになっている。そのためユーザＡによって入力された識別番号は表示発光制御手段２３にて認識され、表示発光制御手段２３は認識した識別番号をページ管理手段１８に入力する。ページ管理手段１８は、表示発光制御手段２３から入力された識別番号を記憶する。
【００６３】
この識別番号とは、例えば電子ペーパファイル３０Ａの電源投入時に、当該本体２０に接続されている電子ペーパ１０に上記ページ管理手段１８が付与する番号である。尚、ユーザが電子ペーパの識別番号を把握することができるように、ページ管理手段１７は、表紙２６に近い順に、識別番号を１から順番に付与するようにしてもよい。また、識別番号は、製造段階で電子ペーパ１０に付与される固有のＩＤであってもよい。
【００６４】
次に、ユーザＡは、通信相手となる電子ペーパファイル３０Ｂの本体ＩＤ（例えば、ＩＰアドレス）を入力欄１４３にソフトウェアキーボード１４４等を用いて入力する。入力された本体ＩＤは、送信用電子ペーパ７Ａの識別番号と同様にして上記ページ管理手段１８にて記憶される。
【００６５】
ユーザは本体ＩＤを入力すると、例えば筆記具１４を用いて設定終了キー１４５を選択する。
【００６６】
設定終了キー１４５が選択されると、上記送信用電子ペーパ設定手段１４１は、上記ページ管理手段１８に上記入力された送信用電子ペーパ７Ａの識別番号と本体ＩＤとを、ユーザＢの電子ペーパファイル３０Ｂに送信するように指示する。
【００６７】
該指示が上記送信用電子ペーパ設定手段１４１からあると、上記ページ管理手段１８は、上記記憶した送信用電子ペーパ７Ａの識別番号と本体ＩＤとを上記通信手段１７に送信する。
【００６８】
上記通信手段１７は、例えばＩＲＤＡ（InfraＲed Data Association ）規格に従った赤外線通信や、有線ネットワーク等の通信形態で他機器と通信することができる。上記通信手段１７は、上記ページ管理手段１８から送信された本体ＩＤに基づいて送信用電子ペーパ７Ａの識別番号をユーザＢの電子ペーパファイル３０Ｂに送信する（図５：Ｓ５０２）。
【００６９】
電子ペーパファイル３０Ｂの通信手段１７は、電子ペーパファイル３０Ａから送信された送信用電子ペーパ７Ａの識別番号を受信すると、当該識別番号をページ管理手段１８に転送する。
【００７０】
上記ページ管理手段１８は、送信用電子ペーパ７Ａの識別番号を受信すると、当該識別番号を記憶する。更に、上記ページ管理手段１８は、図６に示すように、記憶した送信用電子ペーパ７Ａの識別番号と共に、各送信用電子ペーパ７Ａの表示内容を表示する受信用電子ペーパ８Ｂの識別番号を入力することができる入力欄１４６を、電子ペーパファイル３０Ｂの表紙表示部２７１に表示する。
【００７１】
ここで、ユーザＢは、ソフトウェアキーボード１４７等を用いて電子ペーパファイル３０Ｂに接続された電子ペーパ１０から各送信用電子ペーパ７Ａに対応する受信用電子ペーパ８Ｂの識別番号を入力する（図５：Ｓ５０３）。ユーザＢが受信用電子ペーパ８Ｂの識別番号を入力し終え、筆記具１４で設定終了キー１４８を選択すると、上記ページ管理手段１８は受信用電子ペーパ８Ｂと、送信用電子ペーパ７Ａの識別番号とを対応付けて記憶する。
【００７２】
上記ページ管理手段１８は、受信用電子ペーパ８Ｂの識別番号を記憶すると、受信用電子ペーパ８Ｂと送信用電子ペーパ７Ａとを対応付けて記憶した旨を通信手段１７を介して電子ペーパファイル３０Ａに送信する。電子ペーパファイル３０Ａのページ管理手段１８は通信手段１７を介して、受信用電子ペーパ８Ｂと送信用電子ペーパ７Ａとを対応付けて記憶した旨を受信し、当該旨を例えば表紙表示部２７１に表示する。
【００７３】
以上では、ユーザＡ、ユーザＢが送信用電子ペーパ７Ａ、受信用電子ペーパ８Ｂとなる電子ペーパの識別番号を入力しているが、送信用電子ペーパ７Ａ、受信用電子ペーパ８Ｂとなる電子ペーパの電子ペーパファイル３０Ａ、３０Ｂにおけるページ番号（例えば、３ページ目の電子ペーパファイルを送信用電子ペーパ７Ａとする場合、ユーザＡは「３」を入力する）を入力するようにしてもよい。
【００７４】
尚、電子ペーパファイル３０Ａ又は電子ペーパファイル３０Ｂのどちらか一方の側で送信用電子ペーパ７Ａと受信用電子ペーパ８Ｂの両方をするようにしてもよい。
【００７５】
例えば、電子ペーパファイル３０Ａにて受信用電子ペーパ８Ｂをも指定する場合、上記送信用電子ペーパファイル設定手段１４１は、送信用電子ペーパ選択メニュー１４０が選択されると、表紙表示部２７１に上記入力欄１４２Ａと共に受信用電子ペーパの識別番号（ページ番号でもよい）を入力する入力欄１４２Ｂを表示するようにする。ユーザＡは、入力欄１４２Ａ、１４２Ｂに送信用電子ペーパ７Ａと受信用電子ペーパ８Ｂの識別番号を入力する。
【００７６】
上記ページ管理手段１８は入力欄１４２Ａ、１４２Ｂに入力された識別番号を取得すると、上記通信手段１７を介して電子ペーパファイル３０Ｂに送信する。
【００７７】
電子ペーパファイル３０Ｂのページ管理手段１８は、受信用電子ペーパの識別番号を受信すると、当該識別番号の電子ペーパを受信用電子ペーパ８Ｂと決定する。
【００７８】
よって、電子ペーパファイル３０Ａにて送信用電子ペーパ７Ａと受信用電子ペーパ８Ｂを指定する場合、ユーザＢが受信用電子ペーパ８Ｂを入力する操作をしなくてもよい。
【００７９】
また、電子ペーパファイル３０Ｂにて送信用電子ペーパ７Ａをも指定する場合、ユーザＡは、送信用電子ペーパ７Ａと受信用電子ペーパ８Ｂの両方を電子ペーパファイル３０Ｂに指定させる旨をソフトウェアキーボードを用いて入力する。ページ管理手段１８は、指定された旨を上記通信手段１７を介して電子ペーパファイル３０Ｂに送信する。
【００８０】
電子ペーパファイル３０Ｂのページ管理手段１８は、上記ページ管理手段１８から送信された上記受信用電子ペーパ８Ｂと送信用電子ペーパ７Ａの両方を指定させる旨を受信すると、上記のようにユーザＢに受信用電子ペーパ８Ｂの識別番号を入力させる。ユーザＢが受信用電子ペーパ８Ｂの識別番号を入力すると、上記ページ管理手段１８は、送信用電子ペーパ７Ａとなる電子ペーパファイル３０Ａの識別番号（ページ番号でもよい）の入力を促す表示を表紙表示部２７１に表示する。ユーザＢがページ番号、例えば「１」を指定すると、上記ページ管理手段１８ここで指定されたページ番号を、上記通信手段１７を介して電子ペーパファイル３０Ａに送信する。
【００８１】
電子ペーパファイル３０Ａのページ管理手段１８は、ページ番号を取得すると、１ページ目の電子ペーパ１０を送信用電子ペーパ７Ａと決定する。
【００８２】
以上のように、上記ページ管理手段１８は、送信用電子ペーパ７Ａと受信用電子ペーパ８Ｂが指定されると、送信用電子ペーパ７Ａと受信用電子ペーパ８Ｂが指定された旨を電子ペーパファイル３０Ａの表紙表示部２７１に表示する。
【００８３】
該表示があると、ユーザＡは色や表現方法を指定して送信用電子ペーパ７Ａの透明シート４４上に筆記具１４を用いて画像を描く（図５：Ｓ５０４）。すると、上記透明シート４４がデジタイザ機能を用いて当該筆記具１４と該透明シート４４との接触点の位置と、画像が描かれた送信用電子ペーパ７Ａの識別番号とを表示発光制御手段２３に送信する。
【００８４】
上記表示発光制御手段２３は、上記透明シート４４から送信された接触点の位置と、上記ユーザＡが指定した色や表現方法に基づいて表示用ビットデータを生成し、当該表示用ビットデータを透明シート４４から送信された識別番号と対応付けて上記画像記憶手段４３に格納する。上記表示発光制御手段２３は、表示用ビットデータを格納すると、上記画像記憶手段４３の記憶内容に基づいた表示を電子ペーパに表示する（図５：Ｓ５０５）。
【００８５】
また、上記表示発光制御手段２３は表示用ビットデータを生成すると、当該表示用ビットデータと識別番号とを対応付けてページ管理手段１８に送信する。
【００８６】
上記ページ管理手段１８は、表示用ビットデータと識別番号を受信すると、画像が描かれた電子ペーパが送信用電子ペーパ７Ａか否かの確認のため、受信した識別番号と、上記で記憶した送信用電子ペーパ７Ａの識別番号との比較を行う。
【００８７】
上記ページ管理手段１８は、識別番号が一致する場合のみ、即ち、画像が送信用電子ペーパ７Ａに描かれた場合のみ、当該識別番号と表示用ビットデータを通信手段１７に送信する。
【００８８】
上記通信手段１７は、上記表示用ビットデータと識別番号とを受信すると、当該表示用ビットデータと識別番号とを所定の通信規格に基づいたフォーマットに加工し、送信先（ユーザＢ）の電子ペーパファイル３０Ｂに送信する（図５：Ｓ５０６のＹｅｓ〜Ｓ５０７）。
【００８９】
以上により、送信用電子ペーパ７Ａに入力された画像データは、通信手段１７を介して相手側（ユーザＢ）の電子ペーパファイル３０Ｂの通信手段１７に受信される（図５：Ｓ５０８）。
【００９０】
電子ペーパファイル３０Ｂの上記通信手段１７が受信した表示用ビットデータと識別番号とはページ管理手段１８に取得される。
【００９１】
上記ページ管理手段１８は、上記で記憶した送信用電子ペーパ７Ａの識別番号と受信用電子ペーパ８Ｂの識別番号との対応関係を用いて、当該送信用電子ペーパ７Ａの識別番号と対応する受信用電子ペーパ８Ｂの識別番号を取得する（図５：Ｓ５０９）。上記ページ管理手段１８は、取得した受信用電子ペーパ８Ｂの識別番号と、通信手段１７から取得した表示用ビットデータとを対応付けて、これらを上記表示発光制御手段２３に送信する。
【００９２】
上記表示発光制御手段２３は、所定の電子ペーパの画像記憶手段４３に受信用電子ペーパの識別番号と表示用ビットデータとを格納し、画像記憶手段４３の記憶内容を更新する（図５：Ｓ５１０）。上記表示発光制御手段２３は、画像記憶手段４３に格納した表示用ビットデータを上記表示用ドライバ１２ａに送信する。
【００９３】
上記表示用ドライバ１２ａは送信された表示用ビットデータに基づいて画像を表示部１１に表示する（図５：Ｓ５１１）。
【００９４】
以上のように、ユーザＡが電子ペーパファイル３０Ａに描いた画像は電子ペーパファイル３０Ｂに表示される。
【００９５】
また、上記のようにユーザＡが、文字を入力する領域を上記筆記具１４等で指定し、キーボード４６やソフトウェアキーボードを用いて文字を入力すると、ユーザＡが指定した領域と、該領域が指定された送信用電子ペーパ７Ａの識別番号と、入力された文字の文字コードとが上記表示発光制御手段２３にて取得される。
【００９６】
上記表示発光制御手段２３は、ユーザが指定した領域に基づいて文字領域データを生成する。更に、上記表示発光制御手段２３は、当該文字領域データと上記キーボード４６等により入力された文字コードとを送信用電子ペーパ７Ａの識別番号とを対応付けて、所定の電子ペーパ１０の文字記憶手段４２に格納する。また更に、上記表示発光制御手段２３は格納した文字領域データと文字コードと識別番号とを対応付けてページ管理手段１８に送信する。
【００９７】
上記ページ管理手段１８に送信された文字領域データと送信用電子ペーパ７Ａの識別番号と文字コードとは、上記表示用ビットデータと識別番号とが電子ペーパファイル３０Ｂの通信手段１７に送信される手順と同様の手順で電子ペーパファイル３０Ｂの通信手段１７に送信される。
【００９８】
電子ペーパファイル３０Ｂの上記通信手段１７にて受信された文字領域データと送信用電子ペーパの識別番号と文字コードとは上記ページ管理手段１８に取得される。
【００９９】
上記ページ管理手段１８は、取得した送信用電子ペーパ７Ａの識別番号と対応する受信用電子ペーパ８Ｂの識別番号を取得し、取得した受信用電子ペーパ８Ｂの識別番号と文字領域データと文字コードとを上記表示発光制御手段２３に送信する。
【０１００】
上記表示発光制御手段２３は、所定の電子ペーパ１０の文字記憶手段４２に文字領域データと文字コードとを格納し、文字記憶手段４２の記憶内容を更新する。更に、上記表示発光制御手段２３は、更新後の記憶内容に基づいて上記のように表示用ビットデータを生成し、当該表示用ビットデータを受信用電子ペーパ８Ｂの上記表示用ドライバ１２ａに送信する。上記表示用ドライバ１２ａは送信された表示用ビットデータを受信用電子ペーパ８Ｂの表示部１１に表示することで、ユーザＡが入力した文字が受信用電子ペーパ８Ｂに表示されることになる。
【０１０１】
以上のように、２つの電子ペーパファイル間で文字及び画像の送受信が可能である。また、各送信用電子ペーパ７Ａに対応する受信用電子ペーパ８Ｂを指定することで、所定の送信用電子ペーパ７Ａに描いた文字や画像はそれに対応する受信用電子ペーパ８Ｂに表示されることになる。
【０１０２】
また、上記電子ペーパファイル３０Ａのページ管理手段１８が送信用電子ペーパ７Ａの識別番号を電子ペーパファイル３０Ｂに送信する際に、送信用電子ペーパ７Ａに表示用ビットデータが表示されている場合がある。その場合、ページ管理手段１８は送信用電子ペーパ７Ａの識別番号と共に、表示用ビットデータと文字データとを電子ペーパファイル３０Ｂに送信するようにしてもよい。
【０１０３】
尚、この場合上記ページ管理手段１８は、送信用電子ペーパ７Ａの識別番号を電子ペーパファイル３０Ｂに送信する際に、送信用電子ペーパ７Ａに画像や文字が表示されているか否かを表示発光制御手段２３に問い合わせる（図５：Ｓ５１２）。画像や文字が表示されている場合、上記表示発光制御手段２３は、当該画像の表示用ビットデータや当該文字の文字データ等をページ管理手段１８に送信する。
【０１０４】
ページ管理手段１８は、表示発光制御手段２３から送信された表示用ビットデータや文字データを受信すると、送信用電子ペーパ７Ａの識別番号と共に、当該表示用ビットデータと文字データとを電子ペーパファイル３０Ｂに送信する（図５：Ｓ５１３）。
【０１０５】
〔実施の形態２〕
実施の形態１に記載のように、ユーザＡは電子ペーパファイル３０Ａに備えられた電子ペーパ１０から送信用電子ペーパ７Ａを指定し、ユーザＢは電子ペーパファイル３０Ｂに備えられた電子ペーパ１０から受信用電子ペーパ８Ｂを指定する。
【０１０６】
本実施の形態では更に、ユーザＢは、電子ペーパファイル３０Ｂに備えられた電子ペーパ１０から表示内容が電子ペーパファイル３０Ａに送信される送信用電子ペーパ７Ｂを指定する。また、ユーザＡは、電子ペーパファイル３０Ａに備えられた電子ペーパ１０からユーザＢが指定した送信用電子ペーパ７Ｂに対応する受信用電子ペーパ８Ａを選択する。以上により、ユーザＡとユーザＢとの電子ペーパファイル３０Ａ、３０Ｂに送信用電子ペーパファイルと受信用電子ペーパファイルとが設定されたことになる。
【０１０７】
図７に示すように、例えばユーザＡが実施の形態１のように送信用電子ペーパ７Ａに画像や文字を描くと、電子ペーパファイル３０Ｂの受信用電子ペーパ８Ｂには、ユーザＡが描いた画像や文字が表示される。また、ユーザＢが送信用電子ペーパ７Ｂに画像や文字を描くと、電子ペーパファイル３０Ａの受信用電子ペーパ８Ａには、ユーザＢが描いた画像や文字が表示される。
【０１０８】
また、図７に示すように送信用電子ペーパと、受信用電子ペーパを見開きのページの左右に設けることにより、ユーザは、通信相手から送信された画像や文字を見ながら、通信相手に送信する画像や文字を描くことができる。
【０１０９】
また、送信用電子ペーパと、受信用電子ペーパを別々の電子ペーパ１０に指定することで、ユーザが通信相手に送信する画像や文字を書き込む領域と、通信相手から送信される画像や文字を表示する領域との大きさを電子ペーパ１０の表示部１１の大きさにすることができる。
【０１１０】
また、送信用電子ペーパや受信用電子ペーパに画像記憶手段４３や文字記憶手段４２が設けられている場合、送信用電子ペーパや受信用電子ペーパに表示された画像や文字は、送信用電子ペーパや受信用電子ペーパの画像記憶手段４３や文字記憶手段４２に記憶されるような構成としてもよい。この構成を採用すると、ユーザが画像や文字の送信記録や受信記録を容易に管理することができる。
【０１１１】
〔実施の形態３〕
図８においてユーザＡは、電子ペーパファイル３０Ａに装着された電子ペーパ１０から、電子ペーパファイル３０Ｂに表示内容が送信される送信用電子ペーパ７Ａを指定する。
【０１１２】
ユーザＢは、送信用電子ペーパ７Ａの表示内容を表示する受信用電子ペーパ８Ｂを指定する。更に、ユーザＢは、受信用電子ペーパ８Ｂと同じ電子ペーパ１０を、表示内容が電子ペーパファイル３０Ａに送信される送信用電子ペーパ７Ｂとして指定する。
【０１１３】
またユーザＡは、送信用電子ペーパ７Ａと同じ電子ペーパを、上記送信用電子ペーパ７Ｂの表示内容を表示する受信用電子ペーパ８Ａとして指定する。
【０１１４】
以上により、電子ペーパ７Ａ（８Ａ）、電子ペーパ７Ｂ（８Ｂ）は、送信用電子ペーパと受信用電子ペーパとの機能を備えた送受信用電子ペーパとなる。
【０１１５】
従って図８に示すように、電子ペーパファイル３０Ａの送信用電子ペーパ７Ａ（８Ａ）に描いた画像は電子ペーパファイル３０Ｂの受信用電子ペーパ８Ｂ（７Ｂ）に表示され、電子ペーパファイル３０Ｂの受信用電子ペーパ７Ｂ（８Ｂ）に描かれた画像は電子ペーパファイル３０Ａの受信用電子ペーパ８Ａ（７Ａ）に表示されることになる。
【０１１６】
また、図８に示すように、送受信用電子ペーパ以外の電子ペーパ９Ａ、９Ｂは、ユーザＡ、ユーザＢが例えば通信しながらメモを取るのに用いることができる。これらの電子ペーパ９Ａ、９Ｂ書き込まれたメモは相手方に送信されることはない。
【０１１７】
以上のように、送受信用電子ペーパを設定した電子ペーパファイル３０は会議で利用することが考えられる。
【０１１８】
即ち、会議の主催者は会議の資料や議論すべき議題を自身の電子ペーパファイルの送受信用電子ペーパに表示する。すると、会議の参加者の電子ペーパファイル３０の送受信用電子ペーパには会議の資料や議論すべき議題が表示される。また、参加者は、送受信用電子ペーパに質問や意見等を書き込むと、書き込んだ質問や意見等は各参加者の送受信用電子ペーパに表示されることになる。
【０１１９】
更に各参加者は、送受信用電子ペーパ以外の電子ペーパにメモを取ることができる。
【０１２０】
よって、会議の資料や議論すべき議題や意見が表示される領域と、メモを取る領域とが異なる電子ペーパに設定されることで、意見等が表示される領域とメモを取る領域の大きさを電子ペーパの表示部１１の大きさにすることができる。
【０１２１】
〔実施の形態４〕
本実施の形態では、図９のように本体２０から物理的に取り外された電子ペーパ５１〜５３に入力された画像や文字を本体２０に接続された電子ペーパ５４〜５６にて管理する例である。尚、電子ペーパ５１〜５３と電子ペーパ５４〜５６とは、上記通信手段及び表示発光制御手段２３、ページ管理手段１８を備えている。尚、電子ペーパに備えられた通信手段は、赤外線等を用いて本体２０にある通信手段１７と通信することができる。
【０１２２】
ユーザは、電子ペーパ５１の表示内容が電子ペーパ５４に、また電子ペーパ５４の表示内容が電子ペーパ５１に表示されるように、電子ペーパ５１と電子ペーパ５４とを送受信用電子ペーパとして設定する。同様に電子ペーパ５２と電子ペーパ５５と、電子ペーパ５３と電子ペーパ５６とを送受信用電子ペーパとして設定する。当該設定方法の詳細は上記実施の形態３にて述べたものと同様である。
【０１２３】
よって、電子ペーパ５１〜５３に入力された文字や画像は電子ペーパ５４〜５６に表示される。
【０１２４】
以上のように、本体２０から取り外された送受信用電子ペーパを用いることで、ペーパ試験の解答の回収を容易にすることができる。
【０１２５】
即ち、試験監督は、解答者に個別に配布した送受信用電子ペーパに問題を送信し、解答者が送受信用電子ペーパに解答を書き込む。試験終了時に解答者の送受信電子ペーパに書き込まれた解答を、本体２０のページ管理手段１８が受信するようにする。試験終了時に、ページ管理手段１８は、受信した解答を本体２０の送受信用電子ペーパに表示する。その後、試験監督は、本体２０を採点者に渡す。よって、試験監督は、採点のために各解答者から電子ペーパを回収する必要はない。
【０１２６】
〔実施の形態５〕
続いて、図１、図１０を参照して、上記通信手段１７を活用してプレゼンテーションを行う場合について説明する。尚、本実施の形態５においては、本体２０にカーソル描画手段２６、及び表示制限手段２７を備えるが詳細は後述する。
【０１２７】
図１０において、まず、プレゼンテータ６１が使用する電子ペーパファイル６２には電子ペーパ６３〜６５が、プレゼンテーションの聴衆７１、８１、９１が使用する電子ペーパファイル７２、８２、９２には電子ペーパ７３〜７５、８３〜８５、９３〜９５が備えられている。ここではプレゼンテータ６１の電子ペーパ６３と各聴衆の電子ペーパ７３、８３、９３は互いに表示内容が同一になるように、４枚とも送受信用電子ペーパとして指定されている。
【０１２８】
同様に、電子ペーパ６４、聴衆の電子ペーパ７４、８４、９４との表示内容が同一になるように、同じく電子ペーパ６５と、聴衆の電子ペーパ７５、８５、９５との表示内容が同一になるように、これらの電子ペーパも送受信用電子ペーパとして指定されている。ここでの送受信用電子ペーパの指定方法は上記実施の形態３に記載の方法と同じである。
【０１２９】
プレゼンテータ６１の電子ペーパファイル６２には、電子ペーパ６３、６４、６５上にカーソルを表示するカーソル描画手段２６が備えられている。よって、上記プレゼンテータ６１は、カーソルを電子ペーパ上に表示してプレゼンテーションを行うことができる。
【０１３０】
例えばプレゼンテータ６１は筆記具１４を用いて電子ペーパ６３上にソフトウェアメニューを表示し、当該メニューの中から「カーソル描画」が表示されている部分を選択する。
【０１３１】
透明シート４４は「カーソル描画」が選択された旨を、上記表示発光制御手段２３に送信する。「カーソル描画」が選択された旨を受信すると、上記表示発光制御手段２３は、カーソル描画手段２６を起動させる。
【０１３２】
その後、例えばプレゼンテータ６０１が電子ペーパ６３の所定の位置を筆記具１４にて指し示すと、透明シート４４は、電子ペーパ６３の識別番号とユーザが指し示した位置の情報（以下、「位置情報」という）とを表示発光制御手段２３に送信する。上記表示発光制御手段２３は、電子ペーパ６３の識別番号と位置情報とを受信すると、上記カーソル描画手段２６からカーソルの表示に関するカーソル表示データ（カーソルの色、大きさ等）を取得する。上記表示発光制御手段２３は、カーソル表示データを取得すると、電子ペーパ６３の表示用ドライバ１２ａに位置情報とカーソル表示データとを送信する。表示用ドライバ１２ａはカーソル表示データと位置情報とに基づいて、ユーザが筆記具１４で指し示した位置にカーソルを表示する。
【０１３３】
また、上記表示発光制御手段２３は、電子ペーパ６３にカーソルを表示するとともに、位置情報と、カーソル表示データと、電子ペーパ６３の識別番号とを上記ページ管理手段１８に送信する。上記ページ管理手段１８は通信手段１７を介して電子ペーパファイル７２、８２、９２に電子ペーパ６３の識別番号と、カーソル表示データと、位置情報とを送信する。
【０１３４】
上記電子ペーパファイル７２、８２、９２（聴衆の電子ペーパファイル）の通信手段１７は、電子ペーパ６３の識別番号と、カーソル表示データと、位置情報とを受信すると、電子ペーパファイル７２、８２、９２のページ管理手段１８に電子ペーパ６３の識別番号とカーソル表示データと位置情報とを送信する。
【０１３５】
上記電子ペーパファイル７２、８２、９２のページ管理手段１８は、受信した電子ペーパ６３の識別番号と対応する送受信用電子ペーパ（ここでは電子ペーパ７３、８３、９３）の識別番号を取得する。ページ管理手段１８は、取得した電子ペーパ７３、８３、９３の識別番号とカーソル表示データと、位置情報とを表示発光制御手段２３に送信する。
【０１３６】
上記表示発光制御手段２３は、送信された電子ペーパ７３、８３、９３の識別番号に基づいて、電子ペーパ７３、８３、９３の表示用ドライバ１２ａにカーソル表示データと位置情報とを送信する。
【０１３７】
表示用ドライバ１２ａはカーソル表示データに基づいてカーソルを表示する。
【０１３８】
以上により、上記プレゼンテータ６１がプレゼンテーション中に電子ペーパ６３上の所定の位置を筆記具１４で指し示すと、聴衆の電子ペーパ７３、８３、９３にはプレゼンテータ６１が指し示した位置にカーソルが表示される。
【０１３９】
また、上記プレゼンテータ６１が上記ソフトウェアメニューの中から筆記具１４を用いて指示終了を選択すると、上記カーソル描画手段２６はカーソルの表示を終了する。上記カーソル描画手段２６がカーソルの表示を中止すると、プレゼンテータ６１の電子ペーパファイル６２のページ管理手段１８はカーソル表示データの送信を中止する。よって、各聴衆の電子ペーパファイル７２、８２、９２の電子ペーパ７３、８３、９３に表示されていたカーソルが消えるようになる。
【０１４０】
続いて上記表示制限手段２７について説明する。上記プレゼンテーション等において、例えば聴衆７１、８１、９１が上記各電子ペーパファイル７２、８２、９２を用いて質問を行うケースが考えられる。このような場合には、例えば聴衆７１は、自分の電子ペーパファイル７２上でソフトウェアメニューを立ち上げて「カーソル描画」を選択する。次に聴衆７１は、上記のように筆記具１４を用いて質問箇所にカーソルを表示して、例えばプレゼンテータ６１に質問を行う。聴衆７１が表示したカーソルは、聴衆８１、９１及びプレゼンテータ６１の使用する電子ペーパに表示される。
【０１４１】
しかしながら、プレゼンテーション中に、多数の聴衆が同時にカーソルを表示させると収集がつかなくなることが考えられる。
【０１４２】
そこで、電子ペーパファイル６２、７２、８２、９２に上記表示発光制御手段２３が上記カーソル描画手段２６を起動することを制限する表示制限手段２７を実装するとともに、上記表示制限手段２７にカーソルの表示権を管理するプレゼンテータ６１の電子ペーパファイル６２の本体ＩＤを記憶させておく。
【０１４３】
プレゼンテーション中に、聴衆７１は質問のために上記カーソルの表示を希望する場合、聴衆７１はソフトウェアメニューを立ち上げて、ソフトウェアメニューの中からカーソルの表示要求を筆記具１４で選択する。
【０１４４】
ユーザが筆記具１４にてカーソルの表示要求を選択した旨は、透明シート４４によって表示発光制御手段２３に送信される。カーソルの表示要求を選択した旨を受信すると、表示発光制御手段２３は、表示制限手段２７にカーソルの表示要求が選択された旨を送信する。
【０１４５】
カーソルの表示要求が選択された旨を受信すると、上記表示制限手段２７は、上記通信手段１７を介して、プレゼンテータ６１の電子ペーパファイル６２の本体ＩＤを用いて、電子ペーパファイル６２にカーソルの表示要求と、電子ペーパファイル７２の本体ＩＤとを送信する。
【０１４６】
電子ペーパファイル６２の表示制限手段２７は、上記通信手段１７を介して上記カーソルの表示要求と聴衆７１の電子ペーパファイル７２の本体ＩＤとを受信すると、電子ペーパファイル６２の表紙表示部２７１に聴衆７１の電子ペーパファイル７２の本体ＩＤを表示する。
【０１４７】
プレゼンテータ６１は、表示された本体ＩＤを見て、当該本体ＩＤの電子ペーパファイル７２にカーソルの表示の許可を与えるか否かを判断する。プレゼンテータ６１は表示の許可を与える場合、当該本体ＩＤが表示された位置を筆記具１４で指定する。すると、上記表示制限手段２７は、上記通信手段１７を介して聴衆７１の電子ペーパファイル７２に表示許可信号を送信する。
【０１４８】
上記表示許可信号は、聴衆７１の電子ペーパファイル７２の通信手段１７を介して表示制限手段２７にて取得される。上記表示制限手段２７は表示許可信号を受信すると、カーソルの表示が可能である旨を電子ペーパファイル７２の表紙表示部２７１に表示する。更に、上記表示制限手段２７は、表示許可信号を受信すると、上記カーソル描画手段２６の起動の制限を解除する。
【０１４９】
以後、上記のように聴衆７１は、電子ペーパ上に表示される「カーソル描画」のメニューを筆記具１４で指定すると、上記表示発光制御手段２３がカーソル描画手段２６を起動させることができるようになる。
【０１５０】
その後、ユーザが電子ペーパ７４の所定の位置を筆記具１４で指し示すと、位置情報が表示発光制御手段２３に送信される。表示発光制御手段２３は位置情報を受信すると、カーソル描画手段２６からカーソル表示データを取得して、上記のように電子ペーパ７４の筆記具１４で指し示された位置にカーソルを表示する。
【０１５１】
更に、表示発光制御手段２３は、位置情報と、カーソル表示データと、電子ペーパ７４の識別番号とを上記ページ管理手段１８に送信する。上記ページ管理手段１８は通信手段１７を介して電子ペーパファイル６２、８２、９２に電子ペーパ７４の識別番号と、カーソル表示データと、位置情報とを送信する。
【０１５２】
電子ペーパファイル６２、８２、９２のページ管理手段１８は、通信手段１７を介して、電子ペーパ７４の識別番号とカーソル表示データと位置情報とを受信すると、電子ペーパ７４と対応する送受信用電子ペーパ６４、８４、９４の識別番号を取得する。ページ管理手段１８は、取得した識別番号と、カーソル表示データと、位置情報とを表示発光制御手段２３に送信する。
【０１５３】
表示発光制御手段２３は、上記のようにして電子ペーパ６４、８４、９４にカーソルを表示する。
【０１５４】
尚、質問が有る聴衆は、プレゼンテータ６１に対して口頭でカーソルの表示を希望する旨を伝えてもよい。その場合、プレゼンテータ６１が、ソフトウェアキーボード等を用いて当該聴衆の電子ペーパファイルの本体ＩＤを表示制限手段２７に入力することで、表示制限手段２７は表示許可信号を聴衆の電子ペーパファイルに送信するようにする。
【０１５５】
尚、上記カーソル描画手段２６、表示制限手段２７は、電子ペーパに設けるようにしてもよい。
【０１５６】
〔実施の形態６〕
続いて、図１、図１１を参照して、上記通信手段１７を用いた双方向会議システムの実施例を説明する。
【０１５７】
会議の場では、所定の人の電子ペーパの表示内容が、他人の電子ペーパに表示されるのは好ましくない場合がある。しかし、上記実施の形態５で示したカーソルは他の電子ペーパにも表示したいといった要望もある。
【０１５８】
そこで、本体に各電子ペーパの機能を制限する機能制限手段２８を備えるようにする。上記機能制限手段２８を備えた電子ペーパを用いてユーザＡ、Ｂ、Ｃの３人で会議を行う場面を仮定する。
【０１５９】
ユーザＡ６５１（ユーザＢ６６１又はユーザＣ６７１でもよい）は、上記実施の形態３のようにして図１１に示す電子ペーパ６５３の表示内容が他の電子ペーパ（ここでは電子ペーパ６６３、６７３）に表示されるように、電子ペーパ６５３、６６３、６７３を送受信用電子ペーパとして設定する。同じく、ユーザＡ６５１は、電子ペーパ６５４〜６５８の表示内容が電子ペーパ６６４〜６６８、及び電子ペーパ６７４〜６７８に表示されるように、各電子ペーパを送受信用電子ペーパとして設定する。
【０１６０】
次に、ユーザＡ６５１は以下のようにして、各電子ペーパが実行できる機能を決定する。
【０１６１】
ユーザＡは、電子ペーパ６５３に実装されているソフトウェアキーボードに、電子ペーパ６５３の識別番号と当該電子ペーパ６５３をマスター電子ペーパとする旨を入力する。入力された識別番号とマスター電子ペーパである旨は、電子ペーパファイル６５２の機能制限手段６５９（２８）にて取得される。
【０１６２】
機能制限手段６５９は、電子ペーパ６５３がマスター電子ペーパである旨を取得すると、ページ管理手段１８から電子ペーパ６５３と表示内容が同じとなる送受信用電子ペーパ６６３、６７３の識別番号と当該電子ペーパ６６３、６７３が接続されている本体６６２、６７３の本体ＩＤを取得する。
【０１６３】
機能制限手段６５９は、電子ペーパ６６３、６７３の識別番号と、本体６６３、６７３の本体ＩＤを取得すると、本体６６３、６７３に電子ペーパ６５３を電子ペーパ６６３、６７３のマスター電子ペーパと認定する旨の依頼を通信手段１７を介して送信する。
【０１６４】
上記機能制限手段６５９から送信された旨は、本体６６２、６７２の通信手段１７を介して機能制限手段６６９、６７９にて受信される。上記機能制限手段６６９、６７９は、電子ペーパ６５３をマスター電子ペーパとする旨の依頼を受信すると、電子ペーパ６６２、６７３の表紙表示部２７１に当該旨を表示する。
【０１６５】
ユーザＢ６６１、ユーザＣ６７１は、電子ペーパ６５３をマスター電子ペーパと認定する場合、上記筆記用具１４を用いて、電子ペーパ６５３をマスター電子ペーパと認定する旨が表示された位置をして選択する。ユーザＢ６６１、ユーザＣ６７２が、電子ペーパ６５３をマスター電子ペーパと認定する旨が表示された部分を指定すると、上記機能制限手段６６９、６７９は、ユーザＢ、ユーザＣが電子ペーパ６５３をマスター電子ペーパとして認定した旨を電子ペーパ６５１の上記機能制限手段６５９に送信する。
【０１６６】
上記機能制限手段６５９は、機能制限手段６６９、６７９の両方から電子ペーパ６５３をマスター電子ペーパとして認定した旨を受信すると、電子ペーパ６５３の表示部１１に、図１２に示すように電子ペーパ６６３、６７３が持つ機能の一覧を表示する。電子ペーパ６６３、６７３が持つ機能としては、例えばカーソル（カーソル）の表示・操作機能、表示内容を変更する機能、表示された文字や画像の編集機能と、更新された表示内容を他の電子ペーパに送信する機能である。
【０１６７】
ユーザＡが上記機能の一覧から、他の電子ペーパ６６３、６７３が実施することができる機能を筆記具１４等にて選択する。例えば、図１２に示すように一覧表の所定のマス目を筆記具１４にて指定すると、当該マス目の表示が「有効」から「無効」、又は「無効」から「有効」に変わる。
【０１６８】
上記機能制限手段６５９は、ユーザＡにて電子ペーパ６６３・６７３の各機能の有効・無効が変更されるたびに、機能制限手段６６９、６７９に当該機能が有効・無効になった旨を送信する。上記機能制限手段６６９、６７９は上記機能制限手段６５９から機能が有効・無効になった旨を受信すると、電子ペーパ６６３、６７３の当該機能の有効・無効を切り換える。
【０１６９】
例えば、電子ペーパ６６３のカーソル（カーソル）の表示・操作機能や、表示された文字や画像の編集機能が無効に変更されると、上記機能制限手段６６９は、電子ペーパ６６３の透明シート４４から送信される接触点の位置の情報を上記表示発光制御手段２３が受信することを禁止する。また、表示内容を変更する機能が無効に変更された場合、上記表示制限手段６６９は、例えば表示発光制御手段２３が電子ペーパ６６３へ表示用ビットデータを送信することを禁止する。更に、更新された表示内容を他の電子ペーパに送信する機能が無効と選択された場合、上記機能制限手段６６９は、上記通信手段１７が通信することを禁止する。
【０１７０】
上記機能制限手段６５９による他の電子ペーパ６６３、６７３に対する機能制限は、マスター電子ペーパが接続されている電子ペーパファイル６５２の機能制限手段６５９のみが変更することができる。
【０１７１】
図１１における各電子ペーパにおいて、強調模様（点模様）が付されているものはマスター電子ペーパを示す。即ち、電子ペーパ６５３、６５４は電子ペーパ６６３、６６４、及び電子ペーパ６７３、６７４に対してのマスター電子ペーパである。又、電子ペーパ６６５、６６６は電子ペーパ６５５、６５６、及び電子ペーパ６７５、６７６に対してマスター電子ペーパである。
【０１７２】
以上のように、電子ペーパの機能を制限した電子ペーパファイルを例えば会議の場で用いると、ユーザＡ６５１は電子ペーパ６５３、６５４に意見を書くと、当該意見はユーザＢ６６１、ユーザＣ６７１の電子ペーパ６６３、６６４、６７３、６７４に表示される。また、電子ペーパ６５５〜６５８の表示内容が他の電子ペーパに送信する機能が制限されている場合、ユーザＡ６５１が電子ペーパ６６５〜６５８に書いたメモは、ユーザＢ６６１、ユーザＣ６７２の電子ペーパに表示されない。
【０１７３】
ところで、上記実施の形態１〜６では、電子ペーパに表示される表示内容だけの送受信について述べてきたが、従来より行われる、例えばファイルの送受信に上記通信手段１７を用いてもよいことは言うまでもない。
【０１７４】
〔実施の形態７〕
上記図１８では本体側の接続端子２５が上記背板２４に固定されている構造について記載しているが、この接続端子２５は、以下に説明するように回転できると便利である。
【０１７５】
すなわち、図１３に示すように、所定長さの円筒形の可動軸片７５０の上下端部に、他の可動軸片７５０の上下端部と相互に回転自在に接続可能な差込部７５０ａ・７５０ｂを設ける。また、この可動軸片７５０の外周の軸方向には、本体側の接続端子２５が配設されている。そして、このように構成された可動軸片７５０を相互につなぎ合わせると接続体７５２が形成させる。更に、接続体７５２の上下端は軸端片７５６と回転自在に固定されており、この軸端片７５６は上記背板２４に固定されている。
【０１７６】
以上では、各可動軸片７５０が相互に直接接続される構成について説明したが、図１４に示すように、各可動軸片７５０の間に中間固定片７５７を介在させると、更に安定して接続体７５２を背板２４に取り付けることができる。
【０１７７】
即ち、中間固定片７５７に対して各可動片７５０の差込部７５０ａ・７５０ｂを回転自在に差し込み、これら可動片７５０からなる接続体７５２を得る。そして、この接続体７５２を上記と同様に軸端片７５６で背板２４に固定するとともに、上記中間固定片７５７でも背板２４に固定しておく。
【０１７８】
ところで、図１８の電子ペーパ側の接続端子１３は、電子ペーパの所定の位置に固定されているので、電子ペーパ７０１は、当該接続端子１３と対応した位置にある本体側の接続端子２５にのみ接続することが可能である。従って、図１５Ａ、図１５Ｂに示すように、複数の接続端子２５が本体２０の縦方向に対してそれぞれ異なる位置に設けられている場合は、この本体側の各接続端子２５に接続可能な位置に接続端子１３を持つ電子ペーパを用意しなければならないという不具合があった。そこで、このような不具合を解決するために、以下の構成を採用するようにしてもよい。
【０１７９】
すなわち、図１６に示すように、電子ペーパ７０１側の端部に、データを転送するために必要な数のリード７４０を縦方向に平行に配設しておく。
【０１８０】
一方、図１７に示すように、上記可動軸片７５０から、電子ペーパ７０１をその厚み方向に弾性で挟み込む２枚の挟み板７４１を当該可動軸片７５０の径方向に突設しておく。そして、この挟み板７４１の内面に、電子ペーパ７０１に設けた平行リ−ド７４０のそれぞれと先端が当接する導出リ−ド７４２を設け、この導出リ−ド７４２を本体内の導出リ−ド７４２に導くように構成する。
【０１８１】
ここで、各接続端子２５を構成する導出リ−ド７４２の数は、電子ペーパ側の平行リ−ド７４０の数と同じであり、また、当該導出リ−ド７４２は、その先端のみで上記平行リ−ド７４０と電気的に接続可能な接点７４３を持っている。そして、この本体側の接続端子２５にある挟み板７４１で電子ペーパ側の接続端子７１３を両側から挟み込むことで、各平行リ−ド７４０ａ・ｂ・ｃ・ｄと各接点７４３ａ・ｂ・ｃ・ｄとが接するようになっている。これによって、上記表示発光制御手段２３によって転送されたデータが、接点７４３ａ・ｂ・ｃを介して所定の接続端子１３に流れるようになるのは言うまでもない。
【図面の簡単な説明】
【図１】本発明に係る電子ペーパファイルの概略を示すブロック図。
【図２】筆記具及び透明シートを用いた電子ペーパ編集作業時のイメージ図。
【図３】メニューの表示例を示す図。
【図４】表紙表示部の表示例を示した図。
【図５】本発明に係る電子ペーパファイルの送受信処理のフローチャート。
【図６】表紙表示部の表示例を示した図。
【図７】実施の形態１及び２に係る電子ペーパファイルの動作を示すイメージ図。
【図８】実施の形態３に係る電子ペーパファイルの動作を示すイメージ図。
【図９】実施の形態４に係る電子ペーパファイルの動作を示すイメージ図。
【図１０】実施の形態５に係る電子ペーパファイルの動作を示すイメージ図。
【図１１】実施の形態６に係る電子ペーパファイルの動作を示すイメージ図。
【図１２】表紙表示部の表示例を示した図。
【図１３】回転型構造を採用した本体外観図。
【図１４】中間固定片を用いたことを示す図。
【図１５】本体側の接続端子が縦方向に対して異なる位置に設けられたことを示す図。
【図１６】電子ペーパ側の接続端子の形状を示す図。
【図１７】本体側の接続端子の接続端子の形状を示す図。
【図１８】電子ペーパファイルの概略図。
【図１９】電子ペーパの表示シート及び発光シートのデバイス構成の一例。
【図２０】電子ペーパの概略構造図。
【符号の説明】
１７  通信手段
１８  ページ管理手段
２６  カーソル描画手段
２７  表示制御手段
２９  機能制限手段
【図１】
0003850291.tif 000002
【図２】
0003850291.tif 000003
【図３】
0003850291.tif 000004
【図４】
0003850291.tif 000005
【図５】
0003850291.tif 000006
【図６】
0003850291.tif 000007
【図７】
0003850291.tif 000008
【図８】
0003850291.tif 000009
【図９】
0003850291.tif 000010
【図１０】
0003850291.tif 000011
【図１１】
0003850291.tif 000012
【図１２】
0003850291.tif 000013
【図１３】
0003850291.tif 000014
【図１４】
0003850291.tif 000015
【図１５】
0003850291.tif 000016
【図１６】
0003850291.tif 000017
【図１７】
0003850291.tif 000018
【図１８】
0003850291.tif 000019
【図１９】
0003850291.tif 000020
【図２０】
0003850291.tif 000021